【手続補正書】
【提出日】平成15年12月18日(2003.12.18)
【手続補正１】
【補正対象書類名】特許請求の範囲
【補正対象項目名】全文
【補正方法】変更
【補正の内容】
【特許請求の範囲】
【請求項１】
下記を具備する入力信号に接続されたタイミング弁別器におけるタイミング弁別の方法：
前記入力信号の早いサンプル、定刻サンプル、および遅いサンプルを収集する；
それぞれ、早いサンプル、定刻サンプルおよび遅いサンプルに応答して速いパラメータ、定刻パラメータ、および遅いパラメータを派生する；および
そうでなければ、たとえ、前記早いサンプル、定刻サンプル、および遅いサンプルが、タイミング調節が望ましいかもしれないことを示しているとしても、前記早いパラメータ、定刻パラメータ、および遅いパラメータ間の所定の関係に応答してタイミング弁別器の出力をゼロに設定する。
【請求項２】
前記タイミング弁別器は、タイムトラッキングループで使用される、請求項１の方法。
【請求項３】
前記早いパラメータ、定刻パラメータ、および遅いパラメータ間の所定の関係は「（β・早い）ＯＲ（β・遅い）＞定刻」として表され、βは設計パラメータであり、非負数であり、アプリケーション特有である。
【請求項４】
前記早いパラメータ、定刻パラメータおよび遅いパラメータは、それぞれ早いサンプル、定刻サンプル、および遅いサンプルの大きさの単調関数である、請求項１の方法。
【請求項５】
前記所定の関係が満足されないとき、前記タイミング弁別器の出力を早い−遅いの結果に設定する工程をさらに含む、請求項１の方法。
【請求項６】
前記タイミング弁別器の出力に応答してレーキ受信器の指を移動する工程をさらに含む、請求項５の方法。
【請求項７】
入力信号に接続されたタイミング弁別器におけるタイミング弁別の方法であって、前記タイミング弁別器は信号経路を追跡するための複数の指を持つレーキ受信器の一部であり、前記方法は、下記を具備する：
それぞれ早いパラメータ、定刻パラメータ、および遅いパラメータを派生するために使用される早いサンプル、定刻サンプルおよび遅いサンプルを収集する；
パラメータβを選択する、パラメータβは非負数である；および
量（β・早い）および（β・遅い）を計算する；
（β・早い）または（β・遅い）が定刻パラメータより大きければ、前記タイミング弁別出力をゼロに設定する；
（β・早い）または（β・遅い）が定刻パラメータ以下なら、前記タイミング弁別出力を早い−遅いの結果に設定する。
【請求項８】
前記タイミング弁別器は時間−追跡ループで使用される、請求項７の方法。
【請求項９】
入力信号に接続されたタイミング弁別器におけるタイミング弁別の方法であって、前記タイミング弁別器は信号経路を追跡するための複数の指を持つレーキ受信器の一部であり、前記方法は下記を具備する：
それぞれ早いパラメータ、定刻パラメータ、および遅いパラメータを派生するために使用される早いサンプル、定刻サンプルおよび遅いサンプルを収集する；
パラメータβを選択する、βはレーキ受信器の指間の距離の関数として選択される；および
量（β・早い）および（β・遅い）を計算し、
（β・早い）または（β・遅い）が定刻パラメータより大きければ、タイミング弁別器の出力をゼロに設定し、
（β・早い）または（β・遅い）が定刻パラメータ以下なら、前記タイミング弁別器の出力を早い−遅いの結果に設定することにより、
前記タイミング弁別器の出力を発生する。
【請求項１０】
βは、前記レーキ受信器の指間の距離の関数として、時間に対して動的に変化する、請求項９の方法。
【請求項１１】
前記指間の距離が減少するにつれβの値が増加する、請求項１０の方法。
【請求項１２】
前記指間の距離が増加するにつれβの値が増加する、請求項１０の方法。
【請求項１３】
下記を具備する、複数のシンボルから構成される入力信号を有するタイミング弁別器装置：
前記入力信号の早いサンプル、定刻サンプルおよび遅いサンプルを収集する手段；
それぞれ、早いサンプル、定刻サンプル、および遅いサンプルに応答して速いパラメータ、定刻パラメータ、および遅いパラメータを派生する手段；
そうでなければ、たとえ、前記早いサンプル、定刻サンプル、および遅いサンプルが、タイミング調節が望ましいかもしれないことを示しているとしても、前記早いパラメータ、定刻パラメータ、および遅いパラメータ間の所定の関係に応答してタイミング弁別器の出力をゼロに設定する手段。
【請求項１４】
前記早いパラメータ、定刻パラメータ、および遅いパラメータ間の前記所定の関係は「（β・早い）ＯＲ（β・遅い）＞定刻」から構成される、但しβは設計パラメータであり、非負数であり、アプリケーション特有である、請求項１３の装置。
【請求項１５】
下記を具備する移動通信装置：
指を用いて、複数の経路上の受信された信号を追跡するためのレーキ受信器、各経路には、前記複数の指の別個の指が割当てられ、前記受信器は前記指の移動を制御するタイミング弁別器を有する時間追跡ループを具備し、前記タイミング弁別器はさらに、
入力信号の早いサンプル、定刻サンプル、および遅いサンプルを収集する手段；
それぞれ、早いサンプル、定刻サンプル、および遅いサンプルに応答して速いパラメータ、定刻パラメータ、および遅いパラメータを派生する手段；および
引き込み範囲を定義する手段；および
前記早いパラメータ、定刻パラメータ、および遅いパラメータ間の所定の関係が、指のマージを回避するように経路が前記引き込み範囲外にあるとき、前記タイミング弁別器の出力をゼロに設定する手段；
を具備する。
【請求項１６】
前記早いパラメータ、定刻パラメータ、および遅いパラメータ間の前記所定の関係は、「（β・早い）ＯＲ（β・遅い）＞定刻」から構成される、但しβは設計パラメータであり、非負数であり、アプリケーション特有である、請求項１５の移動通信装置。
【請求項１７】
チャネルを介して符号分割多重アクセス出力信号を変調する送信器をさらに具備する、請求項１５の移動通信装置。
【請求項１８】
前記受信された信号は符号分割多重アクセス信号である、請求項１５の移動通信装置。
【請求項１９】
無線通信ネットワークに使用するのに適した基地局受信器において、レーキ受信器が指を用いて複数の経路上の受信された信号を追跡し、各経路には、前記複数の指のうちの別個の指が割当てられ、前記受信器は、前記指の移動を制御するタイミング弁別器を有する時間追跡ループを具備し、前記タイミング弁別器はさらに、
入力信号の早いサンプル、定刻サンプル、および遅いサンプルを収集する手段；
それぞれ早いサンプル、定刻サンプル、および遅いサンプルに応答して、早いパラメータ、定刻パラメータ、および遅いパラメータを派生する手段；および
引き込み範囲を定義する手段；および
前記早いパラメータ、定刻パラメータ、および遅いパラメータ間の所定の関係が、指のマージを回避するように経路が前記引き込み範囲外にあるとき、前記タイミング弁別器の出力をゼロに設定する手段；
を具備する。
【請求項２０】
前記早いパラメータ、定刻パラメータ、および遅いパラメータ間の前記所定の関係は、「（β・早い）ＯＲ（β・遅い）＞定刻」から構成される、但しβは設計パラメータであり、非負数であり、アプリケーション特有である、請求項１９の移動通信装置。
【請求項２１】
下記を具備する、タイミング差分を示す入力信号に接続された時間追跡ループ装置：
前記入力信号に接続され、残差信号を発生する前進／遅延機構；
前記前進／遅延機構に接続され、前記残差信号に応答して推定された残差信号を発生するタイミング弁別器、前記タイミング弁別器はさらに、
前記残差信号の早いサンプル、定刻サンプル、および遅いサンプルを収集する手段；
それぞれ早いサンプル、定刻サンプル、および遅いサンプルに応答して、速いパラメータ、定刻パラメータ、および遅いパラメータを派生するための手段；
そうでなければ、たとえ、前記早いサンプル、定刻サンプル、および遅いサンプルが、タイミング調節が望ましいかもしれないことを示しているとしても、前記早いパラメータ、定刻パラメータ、および遅いパラメータ間の所定の関係に応答してタイミング弁別器の出力をゼロに設定する手段；
前記タイミング弁別器に接続され、前記タイミング弁別器の出力を濾波し、濾波された弁別器の値を発生するフィルタ；
前記フィルタに接続され、複数の濾波された弁別器の値の蓄積に応答して蓄積された弁別器の値を発生するアキュムレータ；
前記アキュムレータに接続され、前記蓄積された弁別器の値に応答して前記制御信号を発生するオーバーフロー／アンダーフロー検出器；
を具備する。
【請求項２２】
前記タイミング差分は、追跡された信号の送信と、追跡された信号の受信との間の時間である、請求項２１の時間追跡ループ装置。
【請求項２３】
前記オーバーフロー／アンダーフロー検出器は、前記蓄積された弁別器の値が所定の範囲を越えるとき、オーバーフロー信号を発生する、請求項２１の時間追跡ループ装置。
【請求項２４】
前記オーバーフロー／アンダーフロー検出器は、前記蓄積された弁別器の値が所定の範囲未満のとき、アンダーフロー信号を発生する、請求項２１の時間追跡ループ装置。
【請求項２５】
複数の指を持つレーキ受信器に使用するためのタイミング弁別器であって、前記タイミング弁別器は出力を前記レーキ受信器に出力し、前記タイミング弁別器は、
それぞれ、早いパラメータ、定刻パラメータ、および遅いパラメータを派生するために使用される早いサンプル、定刻サンプル、および遅いサンプルを収集するための少なくとも１つの入力；
パラメータβを選択するための手段、但しβは、レーキ受信器の指の間の距離の関数として選択される；および
量（β・早い）および（β・遅い）を計算するための手段；
（β・早い）または（β・遅い）が定刻パラメータより大きければ、前記タイミング弁別器出力をゼロに設定する手段；および
（β・早い）または（β・遅い）が定刻パラメータ以下なら、前記タイミング弁別器出力を早い−遅いの結果に設定する手段；
を具備する。
【請求項２６】
βは、前記レーキ受信器の指の間の距離の関数として、時間に対して動的に変化される、請求項２５のタイミング弁別器。
【請求項２７】
前記βの値は、前記指の間の距離が減少するにつれ、増加する、請求項２５のタイミング弁別器。
【請求項２８】
前記βの値は、前記指の間の距離が増加するにつれ、減少する、請求項２５のタイミング弁別器。